(57)【要約】【課題】羽毛等の軽量の詰物を封入した掛寝具にあって、ベッド或いは高い（厚さのある）マットレス等の敷寝具にダブル用として使用した際にそれぞれの就寝者の身体にフィットし易く、かつ、ずれ難い掛け寝具を得る。【解決手段】表側地と裏側地とを、その間に介在させた長手方向及び、緯方向の襠布で縫着することで、格子状に区画された複数の小区画室を形成した掛布団において、緯方向の側地幅を表側地の方が裏側地の幅より１．１乃至１．５倍長い長さとし、表側地と裏側地との間に布団の長手方向に添って設けた経方向襠布を、経方向中心線を対称軸としてその左右両側の経方向襠布を逆八字状に上方の開いたものとした単位布団ユニットを、緯方向に少なく共２ユニット連結した状態で一体化させた。【選択図】図１ 
2006025917.tif 000002
【特許請求の範囲】
【請求項１】
表側地と、裏側地とを、その間に介在させた長手方向及び、緯方向の襠布で縫着することで、格子状に区画された複数の小区画室を形成した掛布団において、緯方向の側地幅を表側地の方が裏側地の幅より１．１乃至１．５倍長い長さとし、表側地と裏側地との間に布団の長手方向に添って設けた経方向襠布を、経方向中心線を対称軸としてその左右両側の経方向襠布を逆八字状に上方に開いたものとした単位布団ユニットを、緯方向に少なく共２ユニット連結し一体化させた事を特徴とする掛布団。
【請求項２】
単位布団ユニットにおいて、経方向中心線の片側に複数の経方向襠布を有する場合、経方向中心線から離れる位置にある襠布は、前記中心線に近い位置にある襠布と同等或いはそれ以上の傾斜角を有して、上方が開いた傾斜としたことを特徴とする請求項１記載の掛布団。
【請求項３】
単位布団ユニットにおいて、経方向中心線を対称軸として、その両側に配した経方向襠布の高さを前記中心線より離れる位置にある襠布程低くしたことを特徴とする請求項１記載の掛布団。
【請求項４】
結合された単位布団ユニットの結合部位に位置する小区画室の長手方向の襠布は、八字状に下方が開いた傾斜としたことを特徴とする請求項１記載の掛布団。
【発明の詳細な説明】
【技術分野】
【０００１】
本発明は、就寝時ずれが生じ難く、かつ、身体にフィットし易いダブル用掛け布団に関する。
【背景技術】
【０００２】
掛け布団等の掛け寝具は就寝者を覆い就寝者の周囲に断熱或いは保温領域を形成し、寝床内気象を快適にするために使用されるのが一般で、表地と裏地とを襠布で隔離し、その間に構成した小区画室内に羽毛或いは、天然その他のわたを封入しているのが普通である。
【０００３】
そして、これらの小区画を構成した布団にあって、詰物を小区画に封入した場合布団を平面に展開すれば全面が均等にふくらむが、布団が身体を覆ったとき、身体の丸味によって布団の裏側地はたるみ、また身体側に位置する詰物は圧迫され布団内部での保気量も減少し、保温性を損うようなことも発生した。また、ダブル布団にあっては、身体の丸味によって布団が山状に突出する部分が２個所となり、その間の部分は身体の線に沿って身体を自然にカバーすることは出来ず、２人の就寝者の間に布団がたまり寝心地を悪くし或いは不足して空隙が生じ温かさをなくするような事態が生じた。
【０００４】
そのために、布団が身体を覆った際に布団の身体側に位置する詰物が圧迫を受けることが少なく、ボリューム感を確保できるように１つの区画にあって布団の身体側の生地即ち裏側地にゆとりを持たせ表地より面積の大きくすることで、布団は裏側地側に膨らんだ形状となり、身体に接する部位の生地に余裕を持たせ身体の体形に対応して布団が曲げられても、単位区画それぞれが膨化した状態を保つことが出来るようにした寝具（特許文献１）が考えられた。
【０００５】
然し、裏側地の面積を表地の面積よりも大きくすると、例えば長さ方向中心線を中心として幅方向左右の布団地を逆Ｕ字形に折り曲げたような場合左右の布団地の端部は両側に開くように屈曲したカーブを見せることになり、これは布団使用中就寝者に布団側が接近しようとするのとは反対に離れる方向に屈曲することになり就寝者への密着度の面からは離れることになる。また、ベッドでの使用中にずれ落ちの現象を生ずる恐れもある。
【０００６】
また、就寝時、布団がしぼんだ状態で就寝者にフィットするように掛布団の長さ方向の中心線と幅方向の中心線のそれぞれに向かって中央部が膨らんだ曲線状のキルティングを施すことによって、就寝時中央部が盛り上がっても掛布団の側部が身体側に引き寄せられることでフィットする掛布団（特許文献２）が考えられた。
【０００７】
然し、この布団にあって、長さ方向中心線と幅方向中心線との交差する中央部位に向い布団の側地が引き寄せられる動きをし、身体の周囲はキルト生地が位置することになり羽毛布団にはなじまない。
上記構造の布団はシングル用に使用することを想定して作られているために、ダブル用として用いた場合、就寝者間に位置する、長手方向中心線に添った部位の布団が身体に添ったなじんだ状態で身体を被うということにはならず違和感を与えることにもなった。
【特許文献１】実開平１−８００６４号公報
【特許文献２】特開２００３−３３９５０１号公報
【発明の開示】
【発明が解決しようとする課題】
【０００８】
本発明は上記の点に鑑みて、羽毛等の軽量の詰物を封入した掛寝具にあって、ベッド或いは高い（厚さのある）マットレス等の敷寝具にダブル用として使用した際にそれぞれの就寝者の身体にフィットし易く、かつ、ずれ難い掛け寝具を得ることを目的とする。
【課題を解決するための手段】
【０００９】
請求項１の発明にあっては、掛布団において、表側地と、裏側地とを、その間に介在させた長手方向及び、緯方向の襠布で縫着することで、格子状に区画された複数の小区画室を形成した掛布団において、緯方向の側地幅を表側地の方が裏側地の幅より１．１乃至１．５倍長い長さとし、表側地と裏側地との間に布団の長手方向に添って設けた経方向襠布を、経方向中心線を対称軸としてその左右両側の経方向襠布を逆八字状に上方に開いたものとした単位布団ユニットを、緯方向に少なく共２ユニット連結し一体化させた。
請求項２の発明にあっては、請求項１記載の掛布団の、単位布団ユニットにおいて、経方向中心線の片側に複数の経方向襠布を有する場合、経方向中心線から離れる位置にある襠布は、前記中心線に近い位置にある襠布と同等或いはそれ以上の傾斜角を有して、上方が開いた傾斜とした。
請求項３の発明にあっては、請求項１記載の掛布団の、単位布団ユニットにおいて、経方向中心線を対称軸として、その両側に配した経方向襠布の高さを前記中心線より離れる位置にある襠布程低くした。
請求項４の発明にあっては、請求項１記載の掛布団の、単位布団ユニットにおいて、経方向中心線を対称軸として、その両側に配した経方向襠布の高さを前記中心線より離れる位置にある襠布程低くした。
請求項５の発明にあっては、請求項１記載の掛布団の、結合された単位布団ユニットの結合部位に位置する小区画室の長手方向の襠布は、八字状に下方が開いた傾斜とした。
【発明の効果】
【００１０】
本発明掛布団は、表側地と、裏側地とを、その間に介在させた長手方向及び、緯方向の襠布で縫着することで、格子状に区画された複数の小区画室を形成した掛布団において、緯方向の側地幅を表側地の方が裏側地の幅より１．１乃至１．５倍長い長さとしたために、本発明布団を使用した際に単位布団ユニットそれぞれの布団自体に山形（逆Ｕ字形）の屈曲を生じ就寝者の身体の線に添うように布団自体が接することになる。特にダブル用として用いた場合に、各単位布団ユニットのそれぞれが就寝者をくるむ状態となるために、従来しばしば見られた就寝者間に生ずる隙き間の発生を見ることはなく、保温、防寒上も有効である。
本発明掛布団をベッド等に使用した場合、裏側地より幅方向に長い表側地が裏側地をベッドに対してまくれ込ませるような作用をし、掛布団のずれ落ちを防止する効果を生ずる。    
【００１１】
また、本発明掛布団にあっては、表側地と、裏側地との間に布団の長手方向に添って設けた経方向襠布を、経方向中心線を対称軸としてその左右両側の経方向襠布を逆八字状に上方の開いたものとし、片側に複数の経方向襠布を有する場合、経方向中心線から離れる位置にある襠布は前記中心線に近い位置にある襠布と同等或はそれ以上の傾斜角を有して上方が開いた傾斜としたために、ベッド等に使用した場合就寝者の両側で垂れ下がった布団内では、上方が開いた襠布の傾斜のために、当該襠布と表裏側地で囲われた小区画室内の詰物は表側地側に寄って小区画室内で下方に移動するため、布団を外側から内側即ち表地側から裏地側方向へ押すような作用が働き、布団自体の妄らな動きが阻止され、ずれ等が生じにくい。
【００１２】
更に、経方向中心線を対称軸として、その両側に配した経方向襠布の高さを前記中心線より離れる程低くしたために、布団両側端部のドレープ性を高め、ベッド等での使用時使用者の寝姿勢，ベッドの形状等による外因形態によく添うことが出来る。
【発明を実施するための最良の形態】
【００１３】
本発明を実施するための最良の形態を図面と共に次に説明する。
本発明掛布団１は、図１に示す如く、就寝者１人分が必要とする面積を有する布団を単位布団ユニットＵとし、ダブル用であればあらかじめ単位布団ユニットＵを２組連続した形に構成する。即ち、単位布団ユニットＵは、表側地２，裏側地３の間に、布団の長手方向に延びる経方向襠布４と布団の幅方向に延びる緯方向襠布５とによって格子を組み襠布４，５の端縁を折り返して該部を表裏側地２，３に縫着し複数の小区画室６を構成している。経方向襠布４と緯方向襠布５との交差するポイントには経方向襠布４に添って、羽毛を小区画室６に封入するための羽毛送気管を通過させるための通過孔（図示せず）等の適宜手段が設けられている。表側地２と裏側地３とはその周縁９で一体に縫い綴じされる。    
【００１４】
図示した単位布団ユニットＵは経方向襠布４が６枚、緯方向襠布５が５枚用いられ４２の小区画室６が作られている。
１つの小区画室６を構成する緯方向襠布５は、表側地２と接する上縁７の長さが下縁８の長さより長い。布団全幅の緯方向襠布５の上縁の長さは下縁の長さの１．１乃至１．５倍としている。上縁の長さが下縁の長さの１．１倍未満であると裏地側への表地の廻り込みが少なく、掛布団としてベッド等に使用した際の布団端部の押さえに欠ける点が見られ、緯方向襠布の上縁７の長さが下縁８の長さの１．５倍を越えると使用時に布団の展開が充分にされにくく、フィット性に劣るようになる。
【００１５】
前記の緯方向襠布５の上縁７と下縁８の長さの差はあらかじめ各小区画室６の幅に応じて各小区画室６ごとに切断された襠布５とするか、布団の幅方向全体を通して構成された長尺の襠布５とするか適宜である。後者の場合長尺の襠布５の下縁８の一部に切れ込みを入れ該部を重ね合わせることで下縁８の長さを短くする手段も考えられる。また、前者の場合は各小区画室６の側断面形状に従った形状の襠布５を各小区画室ごとに用いても良い。
【００１６】
上記経方向襠布４と緯方向襠布５とによる小区画室６の構成時、経方向襠布４を表側地２と裏側地３との間で傾斜した状態に設ける。即ち、一つの小区画室６の表側地２と接する緯方向襠布５の上縁７の長さは同じく裏側地３と接する緯方向襠布下縁８の長さより長くすることで単位布団ユニットＵの中心線Ｃ上に位置する小区画室６の経襠布４，４は逆八字状に上方が同角度に開いたものとし、その両側の経襠布４，４は更に開いた角度により襠布を傾斜させている。そして、中心線Ｃの外側に位置する経襠布の方が内側に位置するものよりその高さを低くすることにより、掛布団１の中央部の小区画室の詰物充填量を外側の小区画室の充填量より多くしている。この構成により布団両側端部のドレープ性を高め得ることが出来、ベッドでの使用時などにおいて、使用者の寝姿勢ベッドの大きさ等に上がる外因形態によく添うことが出来るようにしている。
【００１７】
単位布団ユニットＵを２組一体としたダブル用の場合両ユニットＵ，Ｕ間に連続する表側地と裏側地及び緯方向襠布５，経方向襠布４によって連結部小区画室１１が構成される。連結部小区画室１１はあらかじめ連続した２組の単位布団ユニットの幅に相当する幅の表裏側地２，３を一連に用い、該側地２，３に、共通の連結部小区画室１１の部分を含む２ユニット分の緯方向襠布５を設けている。連結部小区画室１１の連結部経方向当布４，４は下方が開いた「八」字形をなし連結部裏側地３は連結部表側地２よりその幅方向長さを長くして連結部小区画室１１を形成している。上記構成により単位布団ユニットＵが２単位連続した布団は、各単位布団ユニットの中央部分が突出し、緯断面が２つの山を持つ波状屈曲を発現することになる。
布団端部の経方向断面形状をコ字状の角張ったものとせず、円弧を画いた形状とする際には、経方向襠布４の端部に折り返し部１０を作り、表側地２と裏側地３との間にイセ込むようにして表側地２，裏側地３，襠布５を一体に縫い合わせる。
【００１８】
上記の構成によりダブルで使用した場合二人の就寝者の間には布団中央部の波形屈曲し就寝者間に入り込んだ布団によりそれぞれの就寝者の身体がカバーされると共に、掛布団の端縁は敷寝具の側部に添い易く、フィット性を向上し、ずれ落ちの恐れのない掛寝具を得ることが出来る。
【図面の簡単な説明】
【００１９】
【図１】本発明掛布団を示し、Ａは一部切除した状態の縦断正面図、Ｂは模式的に示した一部断面図。
【図２】表側地及び詰物を取り去った状態の本発明布団の一部平面図。
【図３】本発明掛布団をベッドに使用した状態を示す正面図。
【符号の説明】
【００２０】
１  掛布団
２  表側地
３  裏側地
４  経方向襠布
５  緯方向襠布
６  小区画室
７  襠布の上縁
８  襠布の下縁
９  周縁
１０  折り返し
１１  連結部小区画室
【図１】
2006025917.tif 000003
【図２】
2006025917.tif 000004
【図３】
2006025917.tif 000005